(57)【要約】【課題】積層された媒体の断面の全範囲を１つの画像データとして取得可能な光学センサを備え、該光学センサの取得した画像データに基づいて媒体の枚数を計数するようにして、光学センサを移動させることなく媒体の枚数を計数することができ、振動が加えられても、媒体の枚数を正確に計数することができるようにする。【解決手段】積層された媒体１１の枚数を光学センサによって計数する媒体取扱装置であって、前記媒体１１は素地と異なる色の計数用マーク１４を備え、前記光学センサは、前記媒体１１の断面の全範囲を１つの画像データとして取得し、前記光学センサが取得した画像データに基づいて前記媒体１１の枚数を計数する媒体計数部を有する。【選択図】図１
2008123386.tif 000002
【特許請求の範囲】
【請求項１】
（ａ）積層された媒体の枚数を光学センサによって計数する媒体取扱装置であって、
（ｂ）前記媒体は素地と異なる色の計数用マークを備え、
（ｃ）前記光学センサは、前記媒体の断面の全範囲を１つの画像データとして取得し、
（ｄ）前記光学センサが取得した画像データに基づいて前記媒体の枚数を計数する媒体計数部を有することを特徴とする媒体取扱装置。
【請求項２】
前記計数用マークは、少なくとも一部が前記媒体における光学センサ側の断面に露出する請求項１に記載の媒体取扱装置。
【請求項３】
前記媒体計数部は、前記光学センサが取得した画像データに含まれる閾値レベルを超えるピークの数をカウントすることによって、前記媒体の枚数を計数する請求項１に記載の媒体取扱装置。
【請求項４】
電源がＯＮになると、前記媒体取扱装置内に収容されたすべての媒体の枚数を自動的に計数する請求項１に記載の媒体取扱装置。
【請求項５】
前記媒体が収容されたカセットの挿抜を検知するカセット挿抜検知部を更に有し、挿抜が検知されたカセットに収容された媒体の枚数を計数する請求項１に記載の媒体取扱装置。
【発明の詳細な説明】
【技術分野】
【０００１】
本発明は、媒体取扱装置に関するものである。
【背景技術】
【０００２】
従来、紙幣などの媒体を計数する方法として、媒体を１枚ずつ搬送して、光学センサ上を通過したことを検出することによって媒体の枚数を計数する方法や、媒体を複数枚積層し、媒体の端部に発生するずれを光学センサで検出することによって媒体の枚数を計数する方法が提案されている（例えば、特許文献１参照。）。
【０００３】
しかし、媒体の端部に発生するずれを検出するためには、媒体の端部をずらすための機構を配設する必要がある。また、媒体の厚さが薄い場合には、媒体の端部に発生するずれを正確に検出することが困難であった。そこで、一部に素地とは異なる色を付与することによって計数用マークを媒体に付し、前記計数用マークを検出することによって、媒体を計数する技術が提案されている。
【０００４】
図２は従来の計数対象となる媒体の構成を示す図、図３は従来の媒体取扱装置における計数ユニットの構成を示す図である。
【０００５】
図において、１０１は証書等の計数対象となる媒体であり、素地とは異なる色を備える計数用マーク１０４が一隅に付されている。また、計数ユニットは、図３に示されるように、計数用マーク１０４を検出するための光学センサユニット１０２、及び、媒体１０１を積層して装填（てん）するためのカセット１０３を有する。そして、該カセット１０３は、媒体１０１をカセット１０３内に詰めて積層するための媒体押え板１１１、該媒体押え板１１１を上方向に付勢するスプリング１１２、並びに、媒体１０１の読取開始及び終了を示す反射板１１３を有する。
【０００６】
前記光学センサユニット１０２は、媒体１０１に対して検出光を照射する発光素子１０７及び媒体１０１によって反射された検出光を検出する受光素子１０８を有し、積層された媒体１０１の計数用マーク１０４を検出可能なように、媒体１０１の積層方向に延在する直線に沿って、矢印で示されるように移動する。
【０００７】
この場合、受光素子１０８の出力は、例えば、グラフにおける線１０５で示されるように変化する。なお、前記グラフの縦軸は位置を示し、横軸は受光素子１０８による検出光の受光出力の大きさを示している。そして、線１０５におけるネガティブなピーク１０５ａは、閾（しきい）値レベル１０６を超えており、計数用マーク１０４によって反射された検出光の受光出力であることを示している。
【０００８】
したがって、前記閾値レベル１０６を超えたネガティブなピーク１０５ａの数をカウントすることによって、積層された媒体１０１の枚数を計数することができる。
【特許文献１】特開平８−７７２６８号公報
【発明の開示】
【発明が解決しようとする課題】
【０００９】
しかしながら、前記従来の媒体取扱装置においては、計数ユニットの光学センサユニット１０２が移動しながら媒体１０１の計数用マーク１０４を検出することによって媒体１０１の枚数を計数するようになっているので、計数ユニットに対して振動が加えられた場合、媒体１０１の厚さが薄いと、正確に計数することができなくなってしまう。
【００１０】
本発明は、前記従来の媒体取扱装置の問題点を解決して、積層された媒体の断面の全範囲を１つの画像データとして取得可能な光学センサを備え、該光学センサの取得した画像データに基づいて媒体の枚数を計数するようにして、光学センサを移動させることなく媒体の枚数を計数することができ、振動が加えられても、媒体の枚数を正確に計数することができる媒体取扱装置を提供することを目的とする。
【課題を解決するための手段】
【００１１】
そのために、本発明の媒体取扱装置においては、積層された媒体の枚数を光学センサによって計数する媒体取扱装置であって、前記媒体は素地と異なる色の計数用マークを備え、前記光学センサは、前記媒体の断面の全範囲を１つの画像データとして取得し、前記光学センサが取得した画像データに基づいて前記媒体の枚数を計数する媒体計数部を有する。
【００１２】
本発明の他の媒体取扱装置においては、さらに、前記計数用マークは、少なくとも一部が前記媒体における光学センサ側の断面に露出する。
【００１３】
本発明の更に他の媒体取扱装置においては、さらに、前記媒体計数部は、前記光学センサが取得した画像データに含まれる閾値レベルを超えるピークの数をカウントすることによって、前記媒体の枚数を計数する。
【００１４】
本発明の更に他の媒体取扱装置においては、さらに、電源がＯＮになると、前記媒体取扱装置内に収容されたすべての媒体の枚数を自動的に計数する。
【００１５】
本発明の更に他の媒体取扱装置においては、さらに、前記媒体が収容されたカセットの挿抜を検知するカセット挿抜検知部を更に有し、挿抜が検知されたカセットに収容された媒体の枚数を計数する。
【発明の効果】
【００１６】
本発明によれば、媒体取扱装置においては、積層された媒体の断面の全範囲を１つの画像データとして取得可能な光学センサを備え、該光学センサの取得した画像データに基づいて媒体の枚数を計数するようになっている。これにより、光学センサを移動させることなく媒体の枚数を計数することができ、振動が加えられても、媒体の枚数を正確に計数することができる。
【発明を実施するための最良の形態】
【００１７】
以下、本発明の実施の形態について図面を参照しながら詳細に説明する。
【００１８】
図１は本発明の第１の実施の形態における媒体取扱装置の計数ユニットの構成を示す図、図４は本発明の第１の実施の形態における媒体取扱装置のイメージセンサユニットの構成を示す図、図５は本発明の第１の実施の形態における媒体取扱装置の構成を示すブロック図である。なお、図１において、（ａ）は計数ユニットの斜視図、（ｂ）はフォトセルアレイの配置を示す図、（ｃ）はフォトセルアレイの出力を示すグラフであり、図４において、（ａ）はイメージセンサユニットの正面図、（ｂ）はイメージセンサユニットの横断面図である。
【００１９】
図５において、３０は本実施の形態における媒体取扱装置であり、例えば、銀行、信用金庫、郵便局等の金融機関において使用され、定期預金証書、国債証書等の証書を発行する証書発行装置であるが、いかなる種類の装置であってもよい。また、１１は前記媒体取扱装置３０が取り扱う媒体であって、例えば、定期預金証書、国債証書等の証書であるが、いかなる種類の媒体であってもよい。
【００２０】
そして、前記媒体取扱装置３０は、オペレータが操作を行ったり、情報の表示を行う操作表示部３１、媒体取扱装置３０の各部の動作を制御する制御部３２、媒体１１の枚数が記憶して登録される記憶部３３、媒体１１の搬送通路である媒体搬送路４５及びホッパ部４６、書損などの不良の媒体１１をリジェクトするリジェクト部３４、媒体１１に印字等の処理を施す媒体処理部３５、正規の媒体１１が発行されるスタッカ部３６、媒体１１を収容するカセット１２が収納されるとともに光学センサとしてのイメージセンサユニット１３が配設されたカセット収納部４３、各カセット１２に収容されている媒体１１の枚数を計数する媒体計数部４２、カセット１２に媒体１１を補充する際に開閉する前扉４４、及び、該前扉４４の開閉を検知する前扉開閉検知部４１を有する。
【００２１】
ここで、前記操作表示部３１は、ＣＲＴ、液晶ディスプレイ、ＬＥＤ（Ｌｉｇｈｔ  Ｅｍｉｔｔｉｎｇ  Ｄｉｏｄｅ）ディスプレイ等の表示装置、及び、キーボード、タッチパネル等の入力装置を備える。また、前記記憶部３３は、半導体メモリ、磁気ディスク等の記憶手段を備え、カセット収納部４３に収納されているカセット１２内の媒体１１の種別、残数又は種別の識別に用いる情報等を記憶する。なお、前記記憶部３３には、操作表示部３１に表示する内容、制御部３２の制御プログラム等も記憶されている。
【００２２】
そして、前記制御部３２は、ＣＰＵ、ＭＰＵ等の演算手段を備え、記憶部３３に記憶された制御プログラムに従って動作を行い、操作表示部３１、リジェクト部３４、媒体処理部３５、スタッカ部３６、媒体搬送路４５、ホッパ部４６等の動作を制御し、媒体１１の取扱処理を実行する。また、前記制御部３２は、通信回線網を介してホストサーバ６０に接続され、該ホストサーバ６０と通信を行い、媒体処理部３５に対して媒体１１への印字、発行指示等を実行させるとともに、カセット収納部４３から繰り出された媒体１１をカウントして、記憶部３３に登録されている媒体１１の残数を更新する。
【００２３】
また、前記ホストサーバ６０は、金融機関等の顧客の氏名、電話番号、支店番号、口座種別、口座番号等の顧客情報を管理する装置であり、ＣＰＵ、ＭＰＵ等の演算手段、半導体メモリ、磁気ディスク等の記憶手段、通信インターフェイス等を備え、プログラムに従って動作を行う一種のコンピュータである。
【００２４】
そして、前記カセット１２に収容されている媒体１１の枚数を計数するための計数ユニットの構成が図１に示されている。本実施の形態においては、媒体１１の素地とは異なる色を備える計数用マーク１４が、印刷又は塗布することによって、矩（く）形のシート状の媒体１１における一隅に付されている。例えば、媒体１１の素地が白色系の色を備える場合には、計数用マーク１４は黒色系の色であることが望ましい。なお、前記計数用マーク１４は、少なくとも一部が媒体１１におけるイメージセンサユニット１３側の断面に露出するように付与される。
【００２５】
また、カセット１２内には、媒体１１をカセット１２内に詰めて積層するための上下動可能な媒体押え板１５が配設されている。そして、該媒体押え板１５は、スプリング１６によって上方向に付勢され、媒体押え板１５上に積層された状態で載置された媒体１１をカセット１２の天板に押圧する。
【００２６】
さらに、前記媒体押え板１５及びカセット１２の天板における前記媒体１１の計数用マーク１４に対応する一隅には、媒体１１の読取開始及び終了を示す反射板１７が取り付けられている。該反射板１７は、反射率の高い白色系の色の素材で形成されているか、又は、白色系の色に塗装されている。
【００２７】
そして、本実施の形態における計数ユニットは、積層された媒体１１の断面と反射板１７とを確認することができる位置に固定されたイメージセンサユニット１３を有する。該イメージセンサユニット１３は、図４に示されるように、長手方向に並ぶように配列された複数の受光素子から成るフォトセルアレイ２１と、長手方向に並ぶように配列された複数の発光素子から成る光源アレイ２２と、長手方向に延在する細長い形状のレンズ２３とを備える。そして、光源アレイ２２から照射された検出光は、積層した媒体１１の断面及び反射板１７によって反射され、レンズ２３を通って入射し、フォトセルアレイ２１によって検出される。この場合、媒体１１の断面で反射して入射する検出光の焦点距離や写像倍率は、レンズ２３によって決定される。
【００２８】
前記イメージセンサユニット１３はこのような構造を備えることによって、積層された媒体１１の断面の全範囲を１つの画像データとして取得することができる。すなわち、積層されたすべての媒体１１の断面と反射板１７とからの検出光を同時に検出することができる。
【００２９】
図１（ａ）に示される例においては、フォトセルアレイ２１の各受光素子が受光した検出光の強度は、図１（ｂ）に示されるようになっている。なお、図１（ｂ）において、白抜きの小枠は強い検出光を受光した受光素子を示し、黒い小枠は弱い検出光を受けた受光素子を示している。
【００３０】
また、それに対応する各受光素子の出力は、イメージセンサユニット１３が取得した１つの画像データとして、図１（ｃ）のグラフに示されるようになっている。図１（ｃ）のグラフにおいて、縦軸は各受光素子のフォトセルアレイ２１における位置を示し、横軸は各受光素子による検出光の受光出力の大きさを示している。この場合、各受光素子の出力はグラフにおける線２４で示され、線２４におけるネガティブなピーク２４ａは、閾値レベル２５を超えており、計数用マーク１４によって反射された検出光を受光した受光素子の出力であることを示している。
【００３１】
したがって、前記閾値レベル２５を超えたネガティブなピーク２４ａの数をカウントすることによって、積層された媒体１１の枚数を計数することができる。
【００３２】
次に、前記構成の媒体取扱装置３０の動作について説明する。
【００３３】
図６は本発明の第１の実施の形態における媒体取扱装置の動作を示す第１のフローチャート、図７は本発明の第１の実施の形態における媒体取扱装置の動作を示す第２のフローチャートである。
【００３４】
まず、計数対象となる媒体１１が積層された状態でカセット１２に装填されると、スプリング１６によって付勢された媒体押え板１５は、媒体１１をカセット１２の天板に押圧する。
【００３５】
そして、イメージセンサユニット１３は、光源アレイ２２が発光した光を媒体１１の断面に照射する。このとき、媒体１１の素地の色の範囲と計数用マーク１４の色の範囲で反射する光の強度の違いによって、フォトセルアレイ２１の各受光素子の出力には、図１（ｃ）に示される線２４のような差が生じる。
【００３６】
次に、計数用マーク１４を検知することができる閾値レベル２５を超えたネガティブなピーク２４ａの数をカウントすることによって、媒体１１の枚数を計数する。
【００３７】
ここで、前記媒体取扱装置３０が媒体１１の枚数を計数する動作について説明する。
【００３８】
まず、媒体取扱装置３０は、電源がＯＮになると記憶部３３に各カセット１２に装填されている媒体１１の枚数データが登録されているか否かを判断する。媒体１１の枚数データが登録されていない場合、操作表示部３１に各カセット１２に装填されている媒体１１の枚数データを登録するようオペレータに指示するメッセージを表示する。すると、オペレータは、操作表示部３１を操作して、各カセット１２に装填した媒体１１の枚数データを登録する。なお、カセット１２に媒体１１が装填されていない場合、オペレータは、前扉４４を開けて媒体１１を装填した後、前扉４４を閉めて枚数データを登録する。
【００３９】
そして、再度、記憶部３３に各カセット１２に装填されている媒体１１の枚数データが登録されているか否かを確認した後、全カセット１２に装填されている媒体１１の枚数をイメージセンサユニット１３で計数する。
【００４０】
続いて、前記媒体取扱装置３０は、各カセット１２の計数結果が、記憶部３３に登録されている枚数データと一致しているか否かを判断する。そして、計数結果が登録されている枚数データと一致している場合は、各カセット１２に装填されている媒体１１の枚数を操作表示部３１に表示し、運用を開始する。また、各カセット１２の計数結果が登録されている枚数データと一致していない場合は、枚数が一致しないカセット１２を明示し、媒体１１の枚数を確認するようオペレータに指示するメッセージを操作表示部３１に表示する。すると、オペレータは、前扉４４を開け、媒体１１の枚数を確認し、登録されている枚数データに誤りがあればデータを修正して、前扉４４を閉める。
【００４１】
そして、再度、全カセット１２をイメージセンサユニット１３で計数し、計数結果が登録されている枚数データと一致すれば、各カセット１２に装填された媒体１１の枚数を表示し、運用を開始する。
【００４２】
次に、媒体取扱装置３０は、前扉開閉検知部４１が前扉４４の開閉を検知するまでは、ホストサーバ６０の指示に従って、媒体１１を発行する。媒体取扱装置３０は、媒体１１の発行に応じて、記憶部３３に登録されている各カセット１２の媒体１１の枚数データから残数を計算し、枚数データを更新する。
【００４３】
続いて、前扉開閉検知部４１が前扉４４の開閉を検知すると、媒体取扱装置３０は、全カセット１２に装填されている媒体１１の枚数をイメージセンサユニット１３で計数する。そして、各カセット１２の計数結果が、記憶部３３に登録されている枚数データと一致しているか否かを判断する。ここで、計数結果が登録されている枚数データと一致している場合、各カセット１２に装填されている媒体１１の枚数を操作表示部３１に表示し、運用を継続する。また、各カセット１２の計数結果が登録されている枚数データと一致していない場合は、枚数が一致しないカセット１２を明示し、媒体１１の枚数を確認するようオペレータに指示するメッセージを操作表示部３１に表示する。すると、オペレータは、前扉４４を開け、媒体１１の枚数を確認し、登録されている枚数データに誤りがあればデータを修正して、前扉４４を閉める。
【００４４】
そして、再度、全カセット１２をイメージセンサユニット１３で計数し、登録されている枚数データと一致すれば、各カセット１２に装填された媒体１１の枚数を表示し、運用を継続する。
【００４５】
次に、媒体１１の精査の指示があった場合、媒体取扱装置３０は全カセット１２に装填されている媒体１１の枚数をイメージセンサユニット１３で計数する。そして、各カセット１２の計数結果が、記憶部３３に登録されている枚数データと一致しているか否かを判断する。ここで、各カセット１２の計数結果が、記憶部３３に登録されている枚数データと一致している場合は、各カセット１２に装填された媒体１１の枚数を表示し、精査処理を終了する。
【００４６】
また、各カセット１２の計数結果が登録されている枚数データと一致していない場合、媒体取扱装置３０は、枚数が一致しないカセット１２を明示し、媒体１１の枚数を確認するようオペレータに指示するメッセージを操作表示部３１に表示する。すると、オペレータは、前扉４４を開け、媒体１１の枚数を確認し、登録されている枚数データに誤りがあればデータを修正して、前扉４４を閉める。
【００４７】
そして、再度、全カセット１２をイメージセンサユニット１３で計数し、登録されている枚数データと一致すれば、各カセット１２に装填された媒体１１の枚数を表示し、精査処理を終了する。
【００４８】
次に、フローチャートについて説明する。
ステップＳ１  媒体取扱装置３０の電源をＯＮにする。
ステップＳ２  各カセット１２に装填されている媒体１１の枚数データが登録されているか否かを判断する。各カセット１２に装填されている媒体１１の枚数データが登録されている場合はステップＳ５に進み、各カセット１２に装填されている媒体１１の枚数データが登録されていない場合はステップＳ３に進む。
ステップＳ３  操作表示部３１に各カセット１２に装填されている媒体１１の枚数データを登録するようオペレータに指示するメッセージを表示する。
ステップＳ４  操作表示部３１を操作して、各カセット１２に装填した媒体１１の枚数データを登録する。なお、カセット１２に媒体１１が装填されていない場合、オペレータは、前扉４４を開けて媒体１１を装填した後、前扉４４を閉めて枚数データを登録する。
ステップＳ５  全カセット１２に装填されている媒体１１の枚数をイメージセンサユニット１３で計数する。
ステップＳ６  各カセット１２の計数結果が、記憶部３３に登録されている枚数データと一致しているか否かを判断する。記憶部３３に登録されている枚数データと一致している場合はステップＳ９に進み、記憶部３３に登録されている枚数データと一致していない場合はステップＳ７に進む。
ステップＳ７  枚数が一致しないカセット１２を明示し、媒体１１の枚数を確認するようオペレータに指示するメッセージを操作表示部３１に表示する。
ステップＳ８  前扉４４を開け、媒体１１の枚数を確認し、登録されている枚数データに誤りがあればデータを修正して、前扉４４を閉める。
ステップＳ９  各カセット１２に装填されている媒体１１の枚数を操作表示部３１に表示し、運用を開始する。
ステップＳ１０  前扉開閉検知部４１が前扉４４の開閉を検知したか否かを判断する。前扉開閉検知部４１が前扉４４の開閉を検知した場合はステップＳ１２に進み、前扉開閉検知部４１が前扉４４の開閉を検知していない場合はステップＳ１１に進む。
ステップＳ１１  ホストサーバ６０の指示に従って、媒体１１を発行する。媒体取扱装置３０は、媒体１１の発行に応じて、記憶部３３に登録されている各カセット１２の媒体１１の枚数データから残数を計算し、枚数データを更新する。
ステップＳ１２  媒体取扱装置３０は、全カセット１２に装填されている媒体１１の枚数をイメージセンサユニット１３で計数する。
ステップＳ１３  各カセット１２の計数結果が、記憶部３３に登録されている枚数データと一致しているか否かを判断する。記憶部３３に登録されている枚数データと一致している場合はステップＳ１６に進み、記憶部３３に登録されている枚数データと一致していない場合はステップＳ１４に進む。
ステップＳ１４  枚数が一致しないカセット１２を明示し、媒体１１の枚数を確認するようオペレータに指示するメッセージを操作表示部３１に表示する。
ステップＳ１５  前扉４４を開け、媒体１１の枚数を確認し、登録されている枚数データに誤りがあればデータを修正して、前扉４４を閉める。
ステップＳ１６  各カセット１２に装填されている媒体１１の枚数を操作表示部３１に表示し、運用を継続する。
ステップＳ１７  媒体１１の精査の指示があったか否かを判断する。媒体１１の精査の指示があった場合はステップＳ１８に進み、媒体１１の精査の指示がなかった場合はステップＳ１０に戻る。
ステップＳ１８  全カセット１２に装填されている媒体１１の枚数をイメージセンサユニット１３で計数する。
ステップＳ１９  各カセット１２の計数結果が、記憶部３３に登録されている枚数データと一致しているか否かを判断する。記憶部３３に登録されている枚数データと一致している場合はステップＳ２２に進み、記憶部３３に登録されている枚数データと一致していない場合はステップＳ２０に進む。
ステップＳ２０  枚数が一致しないカセット１２を明示し、媒体１１の枚数を確認するようオペレータに指示するメッセージを操作表示部３１に表示する。
ステップＳ２１  前扉４４を開け、媒体１１の枚数を確認し、登録されている枚数データに誤りがあればデータを修正して、前扉４４を閉める。
ステップＳ２２  各カセット１２に装填された媒体１１の枚数を表示し、精査処理を終了する。
【００４９】
このように、本実施の形態において、計数ユニットは、積層された媒体１１の断面と反射板１７とを確認することができる位置に固定されたイメージセンサユニット１３を有し、媒体取扱装置３０は、電源がＯＮになると、自動的にイメージセンサユニット１３の取得した画像データに基づいて媒体１１の枚数を計数するようになっている。そのため、イメージセンサユニット１３を移動することなく媒体１１の枚数を計数することが可能となるので、媒体取扱装置３０に振動が加わった場合でも、媒体１１の枚数を正確に計数することができ、計数の精度が向上する。
【００５０】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００５１】
図８は本発明の第２の実施の形態における媒体取扱装置の構成を示すブロック図、図９は本発明の第２の実施の形態におけるカセット収納部の上面図である。
【００５２】
本実施の形態における媒体取扱装置３０は、カセット収納部４３にカセット１２が収納されたこと及びカセット収納部４３からカセット１２が取り出されたこと、すなわち、カセット１２の挿抜を検知するカセット挿抜検知部４７を更に有する。そして、図９に示されるように、カセット１２の側面には挿抜検知用突起５２が取り付けられ、媒体取扱装置３０は、挿抜検知用突起５２に近接した位置に固定された挿抜検知用センサ５１を有する。なお、その他の点の構成については、前記第１の実施の形態と同様であるので、説明を省略する。
【００５３】
次に、本実施の形態における媒体取扱装置３０の動作について説明する。
【００５４】
図１０は本発明の第２の実施の形態における媒体取扱装置の動作を示す第１のフローチャート、図１１は本発明の第２の実施の形態における媒体取扱装置の動作を示す第２のフローチャートである。
【００５５】
まず、媒体取扱装置３０は、電源がＯＮになると記憶部３３に各カセット１２に装填されている媒体１１の枚数データが登録されているか否かを判断する。媒体１１の枚数データが登録されていない場合、操作表示部３１に各カセット１２に装填されている媒体１１の枚数データを登録するようオペレータに指示するメッセージを表示する。すると、オペレータは、操作表示部３１を操作して、各カセット１２に装填した媒体１１の枚数データを登録する。なお、カセット１２に媒体１１が装填されていない場合、オペレータは、前扉４４を開けて媒体１１を装填した後、前扉４４を閉めて枚数データを登録する。
【００５６】
そして、再度、記憶部３３に各カセット１２に装填されている媒体１１の枚数データが登録されているか否かを確認した後、全カセット１２に装填されている媒体１１の枚数をイメージセンサユニット１３で計数する。
【００５７】
続いて、前記媒体取扱装置３０は、各カセット１２の計数結果が、記憶部３３に登録されている枚数データと一致しているか否かを判断する。そして、計数結果が枚数データと一致している場合は、各カセット１２に装填されている媒体１１の枚数を操作表示部３１に表示し、運用を開始する。
【００５８】
また、各カセット１２の計数結果が枚数データと一致していない場合は、枚数が一致しないカセット１２を明示し、媒体１１の枚数を確認するようオペレータに指示するメッセージを操作表示部３１に表示する。すると、オペレータは、前扉４４を開け、指定されたカセット１２を媒体取扱装置３０のカセット収納部４３から抜き出し、媒体１１の枚数を確認した後、カセット１２を媒体取扱装置３０のカセット収納部４３にセットする。そして、登録されている枚数データに誤りがあればデータを修正して、前扉４４を閉める。
【００５９】
すると、媒体取扱装置３０は、カセット挿抜検知部４７が検知した挿抜されたカセット１２について、イメージセンサユニット１３で媒体１１の枚数を計数する。そして、計数結果が登録されている枚数データと一致すれば、各カセット１２に装填された媒体１１の枚数を表示し、運用を開始する。
【００６０】
次に、媒体取扱装置３０は、前扉開閉検知部４１が前扉４４の開閉を検知するまでは、ホストサーバ６０の指示に従って、媒体１１を発行する。媒体取扱装置３０は、媒体１１の発行に応じて、記憶部３３に登録されている各カセット１２の媒体１１の枚数データから残数を計算し、枚数データを更新する。
【００６１】
続いて、前扉開閉検知部４１が前扉４４の開閉を検知すると、媒体取扱装置３０は、全カセット１２に装填されている媒体１１の枚数をイメージセンサユニット１３で計数する。そして、各カセット１２の計数結果が、記憶部３３に登録されている枚数データと一致しているか否かを判断する。ここで、計数結果が登録されている枚数データと一致している場合、各カセット１２に装填されている媒体１１の枚数を操作表示部３１に表示し、運用を継続する。
【００６２】
また、各カセット１２の計数結果が登録されている枚数データと一致していない場合は、枚数が一致しないカセット１２を明示し、媒体１１の枚数を確認するようオペレータに指示するメッセージを操作表示部３１に表示する。すると、オペレータは、前扉４４を開け、指定されたカセット１２を媒体取扱装置３０のカセット収納部４３から抜き出し、媒体１１の枚数を確認した後、カセット１２を媒体取扱装置３０のカセット収納部４３にセットする。そして、登録されている枚数データに誤りがあればデータを修正して、前扉４４を閉める。
【００６３】
すると、媒体取扱装置３０は、カセット挿抜検知部４７が検知した挿抜されたカセット１２について、イメージセンサユニット１３で媒体１１の枚数を計数する。そして、計数結果が登録されている枚数データと一致すれば、各カセット１２に装填された媒体１１の枚数を表示し、運用を継続する。
【００６４】
次に、媒体１１の精査の指示があった場合、媒体取扱装置３０は全カセット１２に装填されている媒体１１の枚数をイメージセンサユニット１３で計数する。そして、各カセット１２の計数結果が、記憶部３３に登録されている枚数データと一致しているか否かを判断する。ここで、各カセット１２の計数結果が、記憶部３３に登録されている枚数データと一致している場合は、各カセット１２に装填された媒体１１の枚数を表示し、精査処理を終了する。
【００６５】
また、各カセット１２の計数結果が登録されている枚数データと一致していない場合、媒体取扱装置３０は、枚数が一致しないカセット１２を明示し、媒体１１の枚数を確認するようオペレータに指示するメッセージを操作表示部３１に表示する。すると、オペレータは、前扉４４を開け、指定されたカセット１２を媒体取扱装置３０のカセット収納部４３から抜き出し、媒体１１の枚数を確認した後、カセット１２を媒体取扱装置３０のカセット収納部４３にセットする。そして、登録されている枚数データに誤りがあればデータを修正して、前扉４４を閉める。
【００６６】
すると、媒体取扱装置３０は、カセット挿抜検知部４７が検知した挿抜されたカセット１２について、イメージセンサユニット１３で媒体１１の枚数を計数する。そして、計数結果が登録されている枚数データと一致すれば、各カセット１２に装填された媒体１１の枚数を表示し、精査処理を終了する。
【００６７】
次に、フローチャートについて説明する。
ステップＳ３１  媒体取扱装置３０の電源をＯＮにする。
ステップＳ３２  各カセット１２に装填されている媒体１１の枚数データが登録されているか否かを判断する。各カセット１２に装填されている媒体１１の枚数データが登録されている場合はステップＳ３５に進み、各カセット１２に装填されている媒体１１の枚数データが登録されていない場合はステップＳ３３に進む。
ステップＳ３３  操作表示部３１に各カセット１２に装填されている媒体１１の枚数データを登録するようオペレータに指示するメッセージを表示する。
ステップＳ３４  操作表示部３１を操作して、各カセット１２に装填した媒体１１の枚数データを登録する。なお、カセット１２に媒体１１が装填されていない場合、オペレータは、前扉４４を開けて媒体１１を装填した後、前扉４４を閉めて枚数データを登録する。
ステップＳ３５  全カセット１２に装填されている媒体１１の枚数をイメージセンサユニット１３で計数する。
ステップＳ３６  各カセット１２の計数結果が、記憶部３３に登録されている枚数データと一致しているか否かを判断する。記憶部３３に登録されている枚数データと一致している場合はステップＳ４０に進み、記憶部３３に登録されている枚数データと一致していない場合はステップＳ３７に進む。
ステップＳ３７  枚数が一致しないカセット１２を明示し、媒体１１の枚数を確認するようオペレータに指示するメッセージを操作表示部３１に表示する。
ステップＳ３８  前扉４４を開け、指定されたカセット１２を媒体取扱装置３０のカセット収納部４３から抜き出し、媒体１１の枚数を確認した後、カセット１２を媒体取扱装置３０のカセット収納部４３にセットする。そして、登録されている枚数データに誤りがあればデータを修正して、前扉４４を閉める。
ステップＳ３９  カセット挿抜検知部４７が検知した挿抜されたカセット１２について、イメージセンサユニット１３で媒体１１の枚数を計数する。
ステップＳ４０  各カセット１２に装填されている媒体１１の枚数を操作表示部３１に表示し、運用を開始する。
ステップＳ４１  前扉開閉検知部４１が前扉４４の開閉を検知したか否かを判断する。前扉開閉検知部４１が前扉４４の開閉を検知した場合はステップＳ４３に進み、前扉開閉検知部４１が前扉４４の開閉を検知していない場合はステップＳ４２に進む。
ステップＳ４２  ホストサーバ６０の指示に従って、媒体１１を発行する。媒体取扱装置３０は、媒体１１の発行に応じて、記憶部３３に登録されている各カセット１２の媒体１１の枚数データから残数を計算し、枚数データを更新する。
ステップＳ４３  媒体取扱装置３０は、全カセット１２に装填されている媒体１１の枚数をイメージセンサユニット１３で計数する。
ステップＳ４４  各カセット１２の計数結果が、記憶部３３に登録されている枚数データと一致しているか否かを判断する。記憶部３３に登録されている枚数データと一致している場合はステップＳ４８に進み、記憶部３３に登録されている枚数データと一致していない場合はステップＳ４５に進む。
ステップＳ４５  枚数が一致しないカセット１２を明示し、媒体１１の枚数を確認するようオペレータに指示するメッセージを操作表示部３１に表示する。
ステップＳ４６  前扉４４を開け、指定されたカセット１２を媒体取扱装置３０のカセット収納部４３から抜き出し、媒体１１の枚数を確認した後、カセット１２を媒体取扱装置３０のカセット収納部４３にセットする。そして、登録されている枚数データに誤りがあればデータを修正して、前扉４４を閉める。
ステップＳ４７  カセット挿抜検知部４７が検知した挿抜されたカセット１２について、イメージセンサユニット１３で媒体１１の枚数を計数する。
ステップＳ４８  各カセット１２に装填されている媒体１１の枚数を操作表示部３１に表示し、運用を継続する。
ステップＳ４９  媒体１１の精査の指示があったか否かを判断する。媒体１１の精査の指示があった場合はステップＳ５０に進み、媒体１１の精査の指示がなかった場合はステップＳ４１に戻る。
ステップＳ５０  全カセット１２に装填されている媒体１１の枚数をイメージセンサユニット１３で計数する。
ステップＳ５１  各カセット１２の計数結果が、記憶部３３に登録されている枚数データと一致しているか否かを判断する。記憶部３３に登録されている枚数データと一致している場合はステップＳ５５に進み、記憶部３３に登録されている枚数データと一致していない場合はステップＳ５２に進む。
ステップＳ５２  枚数が一致しないカセット１２を明示し、媒体１１の枚数を確認するようオペレータに指示するメッセージを操作表示部３１に表示する。
ステップＳ５３  前扉４４を開け、指定されたカセット１２を媒体取扱装置３０のカセット収納部４３から抜き出し、媒体１１の枚数を確認した後、カセット１２を媒体取扱装置３０のカセット収納部４３にセットする。そして、登録されている枚数データに誤りがあればデータを修正して、前扉４４を閉める。
ステップＳ５４  カセット挿抜検知部４７が検知した挿抜されたカセット１２について、イメージセンサユニット１３で媒体１１の枚数を計数する。
ステップＳ５５  各カセット１２に装填された媒体１１の枚数を表示し、精査処理を終了する。
【００６８】
このように、本実施の形態においては、媒体取扱装置３０は、カセット１２の挿抜を検知するカセット挿抜検知部４７を有し、挿抜が検知されたカセット１２について媒体１１の枚数を計数するようになっている。そのため、前記第１の実施の形態に比べて、媒体１１の再計数処理にかかる時間を短縮することができる。
【００６９】
なお、本発明は前記実施の形態に限定されるものではなく、本発明の趣旨に基づいて種々変形させることが可能であり、それらを本発明の範囲から排除するものではない。
【図面の簡単な説明】
【００７０】
【図１】本発明の第１の実施の形態における媒体取扱装置の計数ユニットの構成を示す図である。
【図２】従来の計数対象となる媒体の構成を示す図である。
【図３】従来の媒体取扱装置における計数ユニットの構成を示す図である。
【図４】本発明の第１の実施の形態における媒体取扱装置のイメージセンサユニットの構成を示す図である。
【図５】本発明の第１の実施の形態における媒体取扱装置の構成を示すブロック図である。
【図６】本発明の第１の実施の形態における媒体取扱装置の動作を示す第１のフローチャートである。
【図７】本発明の第１の実施の形態における媒体取扱装置の動作を示す第２のフローチャートである。
【図８】本発明の第２の実施の形態における媒体取扱装置の構成を示すブロック図である。
【図９】本発明の第２の実施の形態におけるカセット収納部の上面図である。
【図１０】本発明の第２の実施の形態における媒体取扱装置の動作を示す第１のフローチャートである。
【図１１】本発明の第２の実施の形態における媒体取扱装置の動作を示す第２のフローチャートである。
【符号の説明】
【００７１】
１１    媒体
１２    カセット
１３    イメージセンサユニット
１４    計数用マーク
２４ａ    ピーク
２５    閾値レベル
３０    媒体取扱装置
４２    媒体計数部
４７    カセット挿抜検知部
【図１】
2008123386.tif 000003
【図２】
2008123386.tif 000004
【図３】
2008123386.tif 000005
【図４】
2008123386.tif 000006
【図５】
2008123386.tif 000007
【図６】
2008123386.tif 000008
【図７】
2008123386.tif 000009
【図８】
2008123386.tif 000010
【図９】
2008123386.tif 000011
【図１０】
2008123386.tif 000012
【図１１】
2008123386.tif 000013